(57)【要約】【課題】カメラに配置されているプリント基板のレイアウトを向上、かつ、カメラ全体とプリント基板の大型化を防いだカメラのプリント基板を提供すること。【解決手段】カメラ本体の左右の長手方向に広がりをもって配置されたプリント基板と、前記プリント基板の第１面の略中央部に配置されたカメラの制御用ＩＣと前記制御用ＩＣを挟んだ一端に充電回路を含むストロボ第１回路と、他端にトリガー回路を含むストロボ第２回路とが配置されたことを特徴とするカメラのプリント基板。【選択図】　　　図３
2004061920.tif 000002
【特許請求の範囲】
【請求項１】
カメラ本体の左右の長手方向に広がりをもって配置されたプリント基板と、前記プリント基板の第１面の略中央部に配置されたカメラの制御用ＩＣと前記制御用ＩＣを挟んだ一端に充電回路を含むストロボ第１回路と、他端にトリガー回路を含むストロボ第２回路とが配置されたことを特徴とするカメラのプリント基板。
【請求項２】
請求項１に記載のプリント基板において、前記カメラの情報を表示する情報表示手段を有し、前記情報表示手段は前記プリント基板の前記第１面と反対側の第２面の略中央部に配置されていることを特徴とするカメラのプリント基板。
【請求項３】
請求項２に記載のプリント基板において、前記プリント基板と前記情報表示手段との接続部の整列方向が前記プリント基板の長手方向と略平行であることを特徴とするカメラのプリント基板。
【請求項４】
請求項１に記載のプリント基板において、前記第２面側に前記ストロボ第１回路の一部である昇圧用トランスが配置されていることを特徴とするカメラのプリント基板。
【請求項５】
請求項１に記載のプリント基板において、前記第２面側に前記ストロボ第１回路の一部であるトリガーコイルが配置されていることを特徴とするカメラのプリント基板。
【請求項６】
請求項１に記載のプリント基板において、前記第１面側に主コンデンサが配置されていることを特徴とするカメラのプリント基板。
【請求項７】
請求項１に記載のプリント基板において、前記プリント基板はカメラ本体を構成するフイルム収納室に略当接配置されていることを特徴とするカメラのプリント基板。
【請求項８】
請求項１に記載のプリント基板において、ストロボ発光部は前記ストロボ第２回路近傍に配置されていることを特徴とするカメラのプリント基板。
【請求項９】
請求項１に記載のプリント基板において、主コンデンサは前記ストロボ第１回路近傍に配置されていることを特徴とするカメラのプリント基板。
【請求項１０】
請求項１に記載のプリント基板において、昇圧用トランスは前記ストロボ第１回路近傍に配置されていることを特徴とするカメラのプリント基板。
【発明の詳細な説明】
【０００１】
【発明の属する技術分野】
本発明は、カメラに配置されるプリント基板のレイアウトに関するものである。
【０００２】
【従来の技術】
カメラに配置されるプリント基板は、カメラ本体と外装部材となるカバー若しくは各構造体との隙間に配置されることが多い。特に、カメラの動作を制御するためのシーケンスコントローラなどを搭載したプリント基板は、配置場所が必要となる。
【０００３】
たとえばコンパクトカメラにあっては、携帯や取り扱いをよくするためにカメラ全体の小型化を図ることが要望されている。このため、このようなカメラでは、カメラ内部への組込み部品を、可能な限り効率のよいレイアウト構成で、コンパクトに組込むことが望まれている。
【０００４】
従来においては、カメラのレイアウトは、図７に示すように、カメラ本体２９の上端側に配置される一枚のリジット基板２３などによる実装基板を備えてなり、この実装基板の上面側に、ＣＰＵ２４を含む制御回路部、情報表示用パネル２５、各種入力スイッチ用のランド部を設けるとともに、この実装基板の下面側に、モータドライブ用ＩＣ２６やオートフォーカス用ＩＣ２７などの制御回路部品を実装したものである。また、実装基板の下面側でスプール室との間に、鏡筒駆動用の電動モータ２８を配置されている。
【０００５】
【発明が解決しようとする課題】
しかしながら、上記従来においてカメラのレイアウトでは、実装基板の同じ面に、ＣＰＵを含む制御回路部と情報表示用パネルを設けたことにより、収納必要な面積が大きくなってしまい、その他の構成部品の実装レイアウト自由度も低下になり、一枚のプリント基板に実装するため、プリント基板の大型化を招くことになってしまう。
【０００６】
また、実装基板の下面側でスプール室との間に、鏡筒駆動用の電動モータを配置されたことにより、電動モータを収納するための高さが必要となり、カメラ全体の高さは大きくしなければならないという欠点があった。
【０００７】
本出願に係る発明の目的は、カメラに配置されているプリント基板のレイアウトを向上、かつ、カメラ全体とプリント基板の大型化を防いだカメラのプリント基板を提供することにある。
【０００８】
【課題を解決するための手段】
上記課題を解決するために、本発明における請求項１記載の発明は、カメラ本体の左右の長手方向に広がりもって配置されたプリント基板と、前記プリント基板の第１面の略中央部に配置されたカメラの制御用ＩＣと前記制御用ＩＣを挟んだ一端に充電回路を含むストロボ第１回路と、他端にトリガー回路を含むストロボ第２回路とが配置されたこと。
上記課題を解決するために、本発明における請求項２記載の発明は、カメラの情報を表示する情報表示手段を有し、前記情報表示手段はプリント基板の第２面の略中央部に配置されていること。
【０００９】
上記課題を解決するために、本発明における請求項３記載の発明は、プリント基板と情報表示手段との接続部の整列方向が前記プリント基板の長手方向と略平行であること。
【００１０】
上記課題を解決するために、本発明における請求項４記載の発明は、第２面側にストロボ第１回路の一部である昇圧用トランスが配置されていること。
【００１１】
上記課題を解決するために、本発明における請求項５記載の発明は、第２面側にストロボ第１回路の一部であるトリガーコイルが配置されていること。
【００１２】
上記課題を解決するために、本発明における請求項６記載の発明は、第１面側に主コンデンサが配置されていること。
【００１３】
上記課題を解決するために、本発明における請求項７記載の発明は、プリント基板はカメラ本体を構成するフイルム収納室に略当接配置されていること。
【００１４】
上記課題を解決するために、本発明における請求項８記載の発明は、ストロボ発光部はストロボ第２回路近傍に配置されていること。
【００１５】
上記課題を解決するために、本発明における請求項９記載の発明は、主コンデンサは前記ストロボ第１回路近傍に配置されていること。
【００１６】
上記課題を解決するために、本発明における請求項１０記載の発明は、前記昇圧用トランスは前記ストロボ第１回路近傍に配置されていること。
【００１７】
よって、本発明によれば、カメラの制御用ＩＣを載ったプリント基板の第１面側と反対側の第２面に、情報表示手段が配置されていることにより、カメラの制御用ＩＣは情報表示手段に対しての配線が短くでき、配線効率向上が可能である。
【００１８】
また、本発明によれば、外装部材に対向するプリント基板の第２面と反対する第１面側にストロボ用のメインコンデンサ、発振トランス、トリガーコイルなど背が高い電気部品が配置されたことにより、カメラの高さ方向の寸法は小さくすることが可能となり、カメラ全体の高さも無駄のない高さに設定できるので、カメラの大型化を招くことを防ぐことが可能となる。
【００１９】
【発明の実施の形態】
（第１の実施形態）
図１、図２、図３は本発明の第１の実施形態を示したものであり、図１と図２はカメラの正面側から見た構成図と、図３はプリント基板の実装レイアウトを示す斜視図である。
【００２０】
図において、１はカメラ本体である。カメラ本体１の横方向中央には、矩形開口（アパ−チャ）を有するアパ−チャ部１ａが形成されており、このアパ−チャ部１ａの両横には、フイルムカートリッジ（図示せず）が装填収納されるフイルム収納室部１ｂと巻き上げスプール（図示せず）が収納されたスプール室部１ｃとが形成されている。
【００２１】
２は撮影光学系を収納するレンズ鏡筒であり、アパ−チャ部１ａの前方に配置されてフイルム収納室部１ｂとスプール室部１ｃとの間に挟まれる。フイルム収納室部１ｂに装填されたフイルムカートリッジから引き出されたフイルムは、アパ−チャ部１ａの裏面側に形成されたフイルム通路（図示せず）を通ってスプール室部１ｃに導かれ、巻き上げスプールに巻き取られる。そして、不図示のシャッターを開閉させることにより、レンズ鏡筒２を通った撮影光によりアパ−チャに面したフイルム部分が露光される。
【００２２】
また、測距（ＡＦ）を行うための測距装置３と、ファインダ４と、赤目緩和ランプ５およびその反射笠６と、ストロボ発光部７とともにレンズ鏡筒２の上面側前方にレイアウトされ、後方にレンズ鏡筒２駆動電動用モータ１３を配置されている。
【００２３】
３ａは前面レンズ３ｂが配置されたオートフォーカス用受光センサで、被写体から入射した光を受光するものであり、この受光信号に基づいて測距情報が算出される。
【００２４】
このように、測距装置３、赤目緩和ランプ５、および、ストロボ発光部７がほぼカメラ本体１の上部に略直線的並べらえることにより、カメラホールド時の手による光のケラレを殆んどなくせるといった効果がある。
【００２５】
図３に示す８はカメラの動作を制御する制御装置であるカメラの制御用ＩＣで、このカメラの制御用ＩＣ８はカメラ本体１内でのフイルム収納室部１ｂの上面側に略当接配置されるプリント基板９の第１面の略中央部に、かつ、レンズ鏡筒２に収納された光学系を駆動するための駆動電動用モータ１３の略対向する位置に実装されている。
【００２６】
１０はプリント基板９の外装部材の裏面に対向する第２面側（上側）に配置され、例えばフイルムカウンタ表示や撮影モード情報表示などを行うための情報表示手段であるＬＣＤからなる液晶表示素子であり、液晶表示素子１０のプリント基板９の第２面側と対向する面に、プリント基板９との長手方向と略同方向に並んだ、電気的な接続を行うための複数の第１の接続端子１０ａが設けられ、そして、プリント基板９の第２面側には、液晶表示素子１０に設けた第１の接続端子１０ａと接続するための接続端子１０ａに対応した第２の接続端子９ａが配置されている。
【００２７】
１１は液晶表示素子１０の第１の接続端子１０ａとプリント基板９の第２の接続端子９ａとの間に配置されている電気的に接続するための導電体コネクタであり、そして、第１の接続端子１０ａと第２の接続端子９ａと導電体コネクタ１１は、プリント基板９の第２の接続端子９ａ側から液晶表示素子１０の上面にかけて当接させた保持部材１２で挟持され、導電体コネクタ１１は圧接されることにより、第１の接続端子１０ａと第２の接続端子９ａはお互い電気的に接続を行っている。
【００２８】
１４はカメラを撮影動作させるためのレリーズスイッチであり、フイルム収納室部１ｂの上面側に配置するようにしており、したがって、レリーズ時の手振れは（グリップ部を中心として、該レリーズスイッチ１４の操作によりカメラの回転することによって発生する手振れは）、レンズ鏡筒２までの距離が短くなるので、最小限に抑えることが可能としている。
【００２９】
また、１５はカメラの撮影モードなどを選択するための操作スイッチや電気部品１６，１７など、各種電気部品はプリント基板９の第２面側に適宜実装して配置されている。
【００３０】
カメラの側面より見た斜視図を示す図４において、ストロボ用のメインコンデンサ１０はカメラの側面と電池室部１ｄとの後面とでできるスペースに置き、その上面側に配置されているプリント基板９の第２面側に直付するとともに、電池室部１ｄの上部とプリント基板９の第１面側との間にできる隙間内に昇圧用トランス１９を設け、そして、昇圧用トランス１９はプリント基板９の第２面側に直付されている。
【００３１】
また、外装部材の裏面に対向する面側は昇圧用トランス１９より背が低い電気部品でありトランジスタ２０など、各種電気部品はプリント基板９の第２面側に適宜実装して配置されている。したがって、昇圧用トランス１９、トランジスタ２０など充電回路を含むストロボ第１の回路をメインコンデンサ１０の直付する位置近傍に設けることができ、ストロボ回路の充電に対しての配線が短くできるので、エネルギー効率の向上する。
【００３２】
カメラのスプール室位置での側面を示す図５において、カメラのスプール室部１ｃの上部前方にはストロボ発光部７を設け、そのストロボ発光部７の上側にプリント基板を置きとともに、トリガーコイル２１はプリント基板９の第２面側に直付され、また、トランジスタ２２などトリガー回路を含むストロボ第２の回路もトリガーコイル２１の近傍に実装されている。したがって、ストロボ発光部７とストロボ第２の回路とを近傍に設けることができ、トリガー回の配線が短くできるので、エネルギー効率の向上する。
【００３３】
さらに、ストロボ発光部７が正面から見て右上の隅に設定できることより、レンズ鏡筒２からストロボ発光部７までの距離が最も大きくでき、赤目の発生が最も少ないものが可能となるだけではなく、カメラの両手ホールド時に、左手によるストロボ発光部７よりのストロボ光のケラレも殆んど無くすことが可能となった。
本実施形態では、カメラのレイアウトにおいて、プリント基板９の異なって実装面に、カメラの制御用ＩＣ８を含む制御回路部と情報表示手段である液晶表示素子１０をお互いプリント基板９の長手方向の略平行に配置されたことにより、長手方向の収納必要な面積は小きくなり、その他の構成部品の実装レイアウト自由度も向上につながっている。
【００３４】
したがって、一枚のプリント基板９に高密度の実装ができ、プリント基板９の大型化を招くことを防ぐことが可能となる。
【００３５】
また、プリント基板９の下面側とレンズ鏡筒２との隙間に、レンズ鏡筒２駆動電動用モータ１３を配置されたことにより、駆動電動用モータ１３を収納するためのスベースを特別に用意することなく、カメラ全体の高さも無駄のない高さに設定可能となり、ホールド感の良いカメラができる。
【００３６】
また、レンズ鏡筒駆動電動用モータとの前方側に、測距を行うためのオートフォーカス装置を配置したことにより、測距装置を収納するためのスベースを特別に用意することなく、カメラの大型化を防ぐことが可能である。
本実施形態では、充電回路を含むストロボ第１の回路とトリガー回路を含むストロボ第２の回路とを一枚のプリント基板９に集約実装されることができ、その従来複数のプリント基板にストロボ回路を分散して実装する形態と比べて、余計な接続部品（例えばリード線など）は必要がなく、また、複数のプリント基板間の接続方法（たとえばくし歯半田、コネクタ使用など）も廃止可能となり、コストダウンに効果が大きい、かつ、回路間お互いの配線が短くできるので、実装信頼性やエネルギー効率の向上も確実に達成可能となる。
【００３７】
また、プリント基板９はカメラ本体１の長手方向に対して左右に広がり、カメラの制御用ＩＣ８を挟んで両サイドにストロボ第１回路とストロボ第２回路が配置され、こうすることにより、各電気部品のレイアウト位置が略均等であり、プリント基板９の反りと変形を防ぐことができる。
【００３８】
本実施形態では、カメラの構成が変わっても、カメラの制御用ＩＣ８がプリント基板９上で略同じ位置に実装されることにより、その周辺に配置される構成部品、例えば液晶表示素子１０、レリーズスイッチ１４、操作スイッチ１５なども略同等の配置状態となり、これらの構成部品の組み立て性が向上するばかりでなく、構成の異なるカメラ間での各部の配置状態も同等で、撮影者にとっての操作感が、カメラが変わっても変わらず、操作が簡単という利点もある。
【００３９】
さらに、カメラの制御用ＩＣ８がプリント基板９上で略同じ位置に実装されることにより、カメラの構成の変更に影響されずに、部品の共通化を図り、量産性を高め、コストダウンを達成できるという効果がある。
【００４０】
（第２の実施形態）
図６は本発明の第２の実施形態を示したものであり、カメラのスプール室位置での側面図である。
【００４１】
本実施形態における構造は、第１の実施形態のものとほぼ同じであり、第１の実施形態に示したものと同一の構造要素は、図６においても図１から図５と同じ符号で表示し、これらの構造要素については説明を省略するものとする。
【００４２】
図６において、第２の実施形態で第１の実施形態と異なるのは、カメラのスプール室部１ｃの上面側前方にはストロボ発光部７を設け、そのストロボ発光部７の上面側にプリント基板９を置きとともに、トリガーコイル３０の接続端子部３０ａは前記プリント基板９の第２面側に半田され、また、トランジスタ２２などトリガー回路を含むストロボ第２の回路もトリガーコイル３０の近傍に実装されている。
【００４３】
したがって、トリガーコイル３０の接続端子部３０ａ以外の素子部３０ｂは、プリント基板９の板厚内に配置され、カメラの高さ方向の寸法を小さくすることが可能となり、カメラ全体の高さも無駄のない高さに設定できるので、カメラの大型化を防ぐことができる。
【００４４】
また、ストロボ第２の回路の電気部品同士は、同じ面側の近傍に設けることができ、トリガー回路の配線が短くことができるので、エネルギー効率を向上となり、回路の安全性と信頼性を増すことが可能となる。
【００４５】
【発明の効果】
請求項１から請求項３に記載した本発明によれば、充電回路を含むストロボ第１の回路とトリガー回路を含むストロボ第２の回路とを一枚のプリント基板９に集約実装されることにより、従来複数のプリント基板にストロボ回路を分散して実装する形態と比べて、余計な接続部品（例えばリード線など）は必要がなく、また、複数のプリント基板間の接続方法（たとえばくし歯半田、コネクタ使用など）も廃止可能となり、コストダウンに効果が大きい、かつ、回路間お互いの配線が短くできるので、実装信頼性やエネルギー効率の向上も確実に達成可能となる。
【００４６】
また、プリント基板の長手方向の略中央位置に異なって実装面に、それぞれカメラの制御用ＩＣと情報表示手段が配置されたことにより、カメラの制御用ＩＣは情報表示手段に対しての配線が短くでき、配線効率向上が可能である。
【００４７】
また、プリント基板９はカメラ本体の長手方向に対して左右に広がり、カメラの制御用ＩＣ８を挟んで両サイドにストロボ第１回路とストロボ第２回路が配置され、こうすることにより、各電気部品のレイアウト位置が略均等であり、プリント基板９の反りと変形を防ぐことができる。
【００４８】
請求項４から請求項６に記載した本発明によれば、プリント基板の外装部材に対向する第２面側と反対側である第１面側にストロボ用のメインコンデンサ、発振トランス、トリガーコイルなど背が高い電気部品を配置することにより、カメラの高さ方向の寸法を小さくすることが可能となり、カメラ全体の高さも無駄のない高さに設定できるので、カメラの大型化を招くことを防ぐことが可能となる。
【００４９】
請求項７から請求項１０に記載した本発明によれば、カメラのスプール室部の上部前方にはストロボ発光部を設け、そのストロボ発光部の上側にプリント基板を置き、したがって、ストロボ発光部とストロボ第２の回路とを近傍に設けることができ、トリガー回の配線が短くできるので、エネルギー効率の向上する。
【００５０】
また、ストロボ用のメインコンデンサはカメラの側面と電池室部との隙間に置き、プリント基板の第２面側に直付するとともに、電池室部とプリント基板との間に昇圧用トランスを設け、そして、昇圧用トランスはプリント基板の第２面側に直付されている。
【００５１】
したがって、昇圧用トランスなど充電回路を含むストロボ第１の回路をメインコンデンサの直付する位置近傍に設けることができ、ストロボ回路の充電に対しての配線が短くできるので、エネルギー効率の向上する。
【図面の簡単な説明】
【図１】本発明第１の実施形態において、カメラの正面側から見た構成図。
【図２】本発明第１の実施形態において、カメラの正面側から見た構成図。
【図３】本発明第１の実施形態において、プリント基板の実装レイアウトを示す斜視図。
【図４】本発明第１の実施形態において、カメラの側面より見た斜視図。
【図５】本発明第１の実施形態において、カメラのスプール室位置での側面図。
【図６】本発明第２の実施形態において、カメラのスプール室位置での側面図。
【図７】従来例において、カメラのレイアウトを示す構成図。
【符号の説明】
１　カメラ本体
１ａ　アパ−チャ部
１ｂ　フイルム収納室部
１ｃ　スプール室部
１ｄ　電池室部
２　レンズ鏡筒
３　測距装置
３ａ　受光センサ
３ｂ　前面レンズ
４　ファインダ
５　赤目ランプ
６　反射笠
７　ストロボ発光部
８　カメラの制御用ＩＣ
９　プリント基板
９ａ　第２の接続端子
１０　液晶表示素子
１０ａ　第１の接続端子
１１　導電体コネクタ
１２　保持部材
１３　駆動電動用モータ
１４　レリーズスイッチ
１５　操作スイッチ
１６　電気部品
１７　電気部品
１８　メインコンデンサ
１９　昇圧用トランス
２０　トランジスタ
２１　トリガーコイル
２２　トランジスタ
２３　リジット基板
２４　ＣＰＵ
２５　情報表示用パネル
２６　モータドライブ用ＩＣ
２７　オートフォーカス用ＩＣ
２８　電動モータ
２９　カメラ本体
３０　トリガーコイル
３０ａ　接続端子部
３０ｂ　素子部
【図１】
2004061920.tif 000003
【図２】
2004061920.tif 000004
【図３】
2004061920.tif 000005
【図４】
2004061920.tif 000006
【図５】
2004061920.tif 000007
【図６】
2004061920.tif 000008
【図７】
2004061920.tif 000009